(57)【要約】【課題】  壁パネルに対する前後方向の浴槽の位置ずれを防止できるとともに、壁パネルに沿った方向の位置ずれも防止できる浴槽の固定構造を提供すること。【解決手段】  浴槽固定具２１を固定部２１ａと支持部２１ｂと抜け防止部２１ｃとで構成した。そして、固定部２１ａを壁パネル１２等に刺し込み、支持部２１ｂと抜け防止部２１ｃとを壁パネル１２等から突出させた状態で、浴槽固定具２１を壁パネル１２等に取り付けた。また、浴槽１３に、下方が開放された係合凹部２４ａを備えた受け部材２２を取り付けて、浴槽固定具２１の支持部２１ｂと受け部材２２の係合凹部２４ａとを係合させることにより、浴槽１３を壁パネル１２等に固定した。【選択図】  図４
2008259671.tif 000002
【特許請求の範囲】
【請求項１】
浴室の壁パネルに固定した浴槽固定具に、浴槽に設けた受け部材を係合させることにより前記浴槽を前記壁パネルに固定する浴槽の固定構造であって、前記浴槽固定具を前記壁パネルに差し込まれる固定部と前記壁パネルから突出する支持部と前記支持部の先端に形成された抜け防止部とで構成するとともに、前記受け部材に下方が開放された係合凹部を設け、前記浴槽を上方から下降させることにより前記受け部材の係合凹部を前記支持部に係合させるとともに、前記抜け防止部で前記支持部の先端側から外れることを防止したことを特徴とする浴槽の固定構造。
【請求項２】
前記受け部材における係合凹部の開放部分の幅を狭くして、前記支持部の鉛直方向の抜けを防止する第２の抜け防止部を設けたことを特徴とする請求項１に記載の浴槽の固定構造。
【発明の詳細な説明】
【技術分野】
【０００１】
本発明は、浴室の壁パネルに浴槽を固定するための浴槽の固定構造に関する。
【背景技術】
【０００２】
一般的に、ユニットバス等の浴室内に設置される浴槽は、側面を壁パネルに沿わせた状態で、床面を構成する浴槽フロアの上面に設置される。そして、浴槽の中には、浴槽の上端縁部と壁パネルとを浴槽固定具で固定するとともに、浴槽の上端縁部と壁パネルとの間に目地材を設けて浴槽と壁パネルとの間に水が浸入しないようにした固定構造によって固定されたものもある。（例えば、特許文献１参照）。この固定構造（設置構造）では、板片を折り曲げ加工して係合部と固定部とを形成して構成された挟持金具の係合部と壁パネルとの間に浴槽の周辺部垂下壁を位置させた状態で、固定部を釘と裏打ち材を介して壁パネルに固定している。そして、周辺部垂下壁と壁パネルとの間に化粧目地材を挟み込んでいる。
【特許文献１】特開２００２−１９１５２４号公報
【発明の開示】
【０００３】
しかしながら、前述した従来の固定構造では、壁パネルに対する前後方向の浴槽の位置ずれを防止して、浴槽の周辺部垂下壁と壁パネルとの間に化粧目地材を取り付けるための所定の隙間を設けることはできるが、壁パネルに沿った方向の浴槽の位置ずれを規制することはできない。
【０００４】
本発明は、前述した問題に対処するためになされたもので、その目的は、壁パネルに対する前後方向の浴槽の位置ずれを防止できるとともに、壁パネルに沿った方向の位置ずれも防止できる浴槽の固定構造を提供することである。
【０００５】
前述した目的を達成するため、本発明に係る浴槽の固定構造の構成上の特徴は、浴室の壁パネルに固定した浴槽固定具に、浴槽に設けた受け部材を係合させることにより浴槽を壁パネルに固定する浴槽の固定構造であって、浴槽固定具を壁パネルに差し込まれる固定部と壁パネルから突出する支持部と支持部の先端に形成された抜け防止部とで構成するとともに、受け部材に下方が開放された係合凹部を設け、浴槽を上方から下降させることにより受け部材の係合凹部を支持部に係合させるとともに、抜け防止部で支持部の先端側から外れることを防止したことにある。
【０００６】
このように構成した本発明の浴槽の固定構造では、壁パネルに取り付けられた棒状の浴槽固定具に、浴槽に取り付けられた受け部材の係合凹部を係合させることにより、浴槽を壁パネルに固定するようにしている。また、係合凹部は下側を開放した状態で受け部材に形成されているため、受け部材の係合凹部の位置を浴槽固定具の支持部の位置に合わせた状態で、浴槽を上方から下降させると係合凹部内に支持部が入り込んで受け部材と浴槽固定具とが係合する。この場合、支持部は係合凹部と係合するため係合凹部の周縁部によって横方向（壁パネルの表面に沿った水平方向）への移動が規制される。
【０００７】
この結果、浴槽を壁パネルに固定するための部材が、１個の浴槽固定具と１個の受け部材だけであっても浴槽は壁パネルの表面に沿って位置ずれすることなく安定した状態で固定される。また、本発明に係る浴槽の固定構造では、支持部の先端部に抜け防止部を設けて、受け部材の係合凹部が浴槽固定具の支持部に係合したときに、受け部材が支持部の先端側から外れることを防止できるようにしている。これによると、例えば、浴槽の固定構造を設ける壁パネルが洗い場の反対側に位置する壁パネルだけであっても受け部材が浴槽固定具の先端側から外れることがなくなり、浴槽を壁パネルに安定した状態で固定することができる。
【０００８】
この場合の抜け防止部としては、係合凹部の周縁部に係合可能な円板状や棒状の大径部分、フック、突出部等で構成することができる。
【０００９】
本発明に係る浴槽の固定構造の他の構成上の特徴は、受け部材における係合凹部の開放部分の幅を狭くして、支持部の鉛直方向の抜けを防止する第２の抜け防止部を設けたことにある。これによると、浴槽の重さによって支持部は係合凹部内に容易に入り、一旦浴槽固定具の支持部に受け部材の係合凹部を係合させると、第２の抜け防止部によってその係合は解除され難くなるため浴槽の適正な固定状態が維持される。
【発明を実施するための最良の形態】
【００１０】
（第１実施形態）
以下、本発明の第１実施形態を図面を用いて説明する。図１は同実施形態に係る浴槽の固定構造２０を備えた浴室１０の要部を示している。この浴室１０では、床面１１の上面における浴室１０内と屋外とを仕切る壁パネル１２側の部分に浴槽１３が設けられている。この浴槽１３は、左右方向の長さが前後方向の長さよりも長く形成されており、左右の幅が大きな後部側の側面を壁パネル１２に沿わせるとともに、前後の幅が小さい左右の側面を、それぞれ対応する壁パネル１２ａと壁パネル１２ｂとに沿わせて設置されている。
【００１１】
また、図２および図３に示したように、浴槽１３の上端周縁部には外側に向って延びるフランジ部１３ａが形成され、浴槽１３の底面における左右方向の中央で前後方向の中央よりもやや前部側の部分に排水口１３ｂが形成されている。そして、排水口１３ｂに排水口１３ｂを開閉する栓１３ｃが上下移動可能に設けられている。また、浴槽１３の下面における後部側の両側には、一対の後部脚部１４ａ，１４ｂが大きな間隔を保って設けられ、浴槽１３の下面における前部側の両側には、一対の前部脚部１５ａ，１５ｂが後部脚部１４ａ，１４ｂの間隔よりも小さな間隔を保って設けられている。
【００１２】
浴槽１３の下面は、図２に示したように、左右方向の中央側が両側よりもやや低くなり、図３に示したように、後部側よりも前部側の方がやや低くなった傾斜面に形成されている。このため、後部脚部１４ａ，１４ｂの上下方向の長さは、前部脚部１５ａ，１５ｂの上下方向の長さよりも長くなっている。これによって、浴槽１３は、フランジ部１３ａを略水平に位置させた状態で床面１１の上面に設置されている。また、図示していないが、壁パネル１２には窓部が設けられ、壁パネル１２の対向面に位置する壁パネルには、出入り用のドアが設けられている。そして、各壁パネル１２等の上端部には、天井部が設置されている。
【００１３】
また、浴槽１３は、所定部分を複数の浴槽の固定構造２０を介して壁パネル１２，１２ａ，１２ｂに固定されることにより所定の設置場所に位置決めされている。浴槽の固定構造２０は、図４に示したように、壁パネル１２等（図４では壁パネル１２を示している。）に固定された棒状の浴槽固定具２１に、浴槽１３のフランジ部１３ａの下面に固定された受け部材２２を組み付けることにより構成されている。浴槽固定具２１は、図５に示したように、細径のねじ部からなる固定部２１ａと、固定部２１ａの後端部に連結されたやや大径の円柱部からなる支持部２１ｂと、支持部２１ｂの後端面に形成された大径円板状の抜け防止部２１ｃとで構成されている。
【００１４】
そして、抜け防止部２１ｃの表面中央には、十字状の係合溝２１ｄが形成されている。この浴槽固定具２１は、係合溝２１ｄ内にプラス形のドライバーの先端部を係合させた状態で固定部２１ａの先端部を壁パネル１２等の所定部分に押し当てドライバーを回転操作することにより、壁パネル１２等に固定される。その際、支持部２１ｂと抜け防止部２１ｃとは壁パネル１２等の表面から突出した状態になる。この浴槽固定具２１は、図６に示したように、壁パネル１２の両側部分（浴槽１３を床面１１上に設置したときに後部脚部１４ａ，１４ｂに対応する部分の上方）および壁パネル１２ａ，１２ｂにおける浴槽１３の前部に対応する部分にそれぞれ取り付けられている。また、各浴槽固定具２１は、壁パネル１２等における浴槽１３のフランジ部１３ａが位置する部分よりもやや低い位置に取り付けられている。
【００１５】
受け部材２２は、図７および図８に示したように、平面視（図７（ａ））が長方形で、正面視（図７（ｂ））が中央下部に凹部が形成された略門形で、側面視（図７（ｃ））が略三角形になった部材で構成されている。そして、受け部材２２は、上面部２３と、垂直面部２４と、側面部２５ａ，２５ｂと、補強リブ２６ａ，２６ｂとを備えている。上面部２３は、フランジ部１３ａの下面に沿うことのできる曲面状に形成されており、その上面には、上面部２３の長手方向に直交する突条２３ａが一定間隔で複数形成されている。
【００１６】
垂直面部２４は、壁パネル１２等の表面に対面する部分で、上面部２３の下面における上端部よりもやや下方の部分から下方に向って延びる板状に形成されている。そして、垂直面部２４の中央下部に、浴槽固定具２１の支持部２１ｂと係合できる係合凹部２４ａが形成されている。この係合凹部２４ａは、垂直面部２４の下端縁部側に位置する開放側部分の幅が大きく、上方に行くほど幅が徐々に小さくなっている。そして、係合凹部２４ａの上部は半円状に形成されている。また、係合凹部２４ａの周縁部からは前方に向って突出する略Ｕ字状の壁部２４ｂが形成されている。
【００１７】
側面部２５ａ，２５ｂは、それぞれ略三角形の板状に形成されており、上面部２３と垂直面部２４との一方の端部と他方の端部とを接続するようにして平行に配置されている。また、補強リブ２６ａ，２６ｂは、それぞれ側面部２５ａ，２５ｂと略同形の板状に形成されている。そして、補強リブ２６ａは、上面部２３と垂直面部２４とを接続するようにして側面部２５ａと壁部２４ｂとの間に配置され、補強リブ２６ｂは、上面部２３と垂直面部２４とを接続するようにして側面部２５ｂと壁部２４ｂとの間に配置されている。
【００１８】
この構成において、浴室１０における床面１１上に浴槽１３を設置する際には、まず、図６に示したように、壁パネル１２，１２ａ，１２ｂの所定部分に浴槽固定具２１を取り付ける。また、図１および図４に示したように、浴槽１３のフランジ部１３ａの下面における所定部分にはそれぞれ受け部材２２を取り付けておく。この受け部材２２のフランジ部１３ａの下面への取り付けは、上面部２３を接着剤等を用いてフランジ部１３ａの下面に接着すること等によって行う。
【００１９】
この場合、受け部材２２の係合凹部２４ａを浴槽固定具２１の支持部２１ｂに係合させたときに、受け部材２２の壁部２４ｂが浴槽固定具２１の抜け防止部２１ｃを引き寄せることによって壁パネル１２，１２ａ，１２ｂが浴槽１３側に引き寄せられて浴槽１３のフランジ部１３ａと壁パネル１２，１２ａ，１２ｂとの間に一定の隙間が生じる位置に受け部材２２を取り付ける。つぎに、浴槽１３を持ち上げて、上方から下降させるようにして床面１１における浴槽１３の設置場所に置く。
【００２０】
この際、図９（壁パネル１２等および浴槽１３は省略している）に示したように、浴槽１３に取り付けられた各受け部材２２の係合凹部２４ａは、それぞれ対応する浴槽固定具２１の支持部２１ｂに近づいていき、浴槽１３が床面１１上に設置されたときに、係合凹部２４ａと支持部２１ｂとは係合して、図１０および図１１に示した状態になる。このとき、受け部材２２の壁部２４ｂが浴槽固定具２１の抜け防止部２１ｃに係合して、壁パネル１２等は浴槽１３側に引き寄せられる。そして、各浴槽固定具２１と受け部材２２との係合によって、浴槽１３は床面１１上に固定されて図１の状態になる。この場合、浴槽１３のフランジ部１３ａと壁パネル１２，１２ａ，１２ｂとの間に一定の隙間が生じる状態になる。また、図示していないが、壁パネル１２，１２ａ，１２ｂと浴槽１３のフランジ部１３ａとの間の隙間には、湯水の浸入を防止するための目地材が取り付けられる。
【００２１】
このように、本実施形態に係る浴槽の固定構造２０では、壁パネル１２，１２ａ，１２ｂに所定の間隔を保って取り付けられた４個の浴槽固定具２１の支持部２１ｂに、浴槽１３のフランジ部１３ａに４個の浴槽固定具２１と同間隔を保って取り付けられた４個の受け部材２２の係合凹部２４ａをそれぞれ係合させることにより、浴槽１３を床面１１上の設置場所に固定するようにしている。また、係合凹部２４ａは下側を開放した状態で受け部材２２の垂直面部２４に形成されているため、係合凹部２４ａの位置を支持部２１ｂの位置に合わせた状態で、浴槽１３を上方から下降させると係合凹部２４ａ内に支持部２１ｂが入り込んで係合する。
【００２２】
この場合、壁パネル１２，１２ａ，１２ｂと浴槽１３との間に、例え、隙間があったとしても、浴槽１３は、位置ずれすることなく固定される。すなわち、浴槽１３が洗い場側にずれようとした場合には、壁パネル１２ａ，１２ｂに設けられた浴槽の固定構造２０における支持部２１ｂと係合凹部２４ａの周縁部との係合および壁パネル１２に設けられた浴槽の固定構造２０における抜け防止部２１ｃと壁部２４ｂとの係合によって浴槽１３は位置ずれすることを防止される。また、浴槽１３が壁パネル１２側にずれようとした場合には、壁パネル１２ａ，１２ｂに設けられた浴槽の固定構造２０における支持部２１ｂと係合凹部２４ａの周縁部との係合によって浴槽１３は位置ずれすることを防止される。
【００２３】
さらに、浴槽１３が壁パネル１２ａ側にずれようとした場合には、壁パネル１２に設けられた浴槽の固定構造２０における支持部２１ｂと係合凹部２４ａの周縁部との係合および壁パネル１２ｂに設けられた浴槽の固定構造２０における抜け防止部２１ｃと壁部２４ｂとの係合によって浴槽１３は位置ずれすることを防止される。また、浴槽１３が壁パネル１２ｂ側にずれようとした場合には、壁パネル１２に設けられた浴槽の固定構造２０における支持部２１ｂと係合凹部２４ａの周縁部との係合および壁パネル１２ａに設けられた浴槽の固定構造２０における抜け防止部２１ｃと壁部２４ｂとの係合によって浴槽１３は位置ずれすることを防止される。
【００２４】
この結果、浴槽１３は、床面１１上の所定の設置位置から位置ずれすることなく適正な位置に固定された状態を維持する。なお、前述した実施形態では、壁パネル１２に２個の浴槽の固定構造２０を用いているが、壁パネル１２に設けられた浴槽の固定構造２０は１個だけにすることができる。その場合、壁パネル１２の左右方向の中央に浴槽の固定構造２０を設ける。これによっても、浴槽１３は各壁パネル１２，１２ａ，１２ｂの表面に沿って位置ずれすることなく安定した状態で固定される。
【００２５】
（第２実施形態）
図１２は、本発明の第２実施形態に係る浴槽の固定構造が備える受け部材３２を示している。この受け部材３２では、垂直面部３４に設けられた係合凹部３４ａおよび壁部３４ｂが略Ｕ字状でなく、略円形に形成されて開放側部分の幅がやや狭くなっている。この受け部材３２のそれ以外の部分の構成は前述した受け部材２２と同一である。したがって、同一部分に同一符号を記して説明は省略する。また、この受け部材３２を備えた浴槽の固定構造のそれ以外の部分の構成も前述した浴槽の浴槽固定具２０と同一である。
【００２６】
この受け部材３２を備えた浴槽の固定構造によると、浴槽１３を上方から下降させたときには、浴槽１３の重さによって浴槽固定具２１の支持部２１ｂは受け部材３２の係合凹部３４ａ内に容易に入ることができ、一旦係合凹部３４ａ内に入った支持部２１ｂは、係合凹部３４ａから外れ難くなる。この結果、浴槽１３の壁パネル１２等への固定のための操作は容易になるが、一旦浴槽固定具２１の支持部２１ｂに受け部材３２の係合凹部３４ａを係合させるとその係合は解除され難くなる。この受け部材３２を備えた浴槽の固定構造のそれ以外の作用効果は、前述した浴槽の浴槽固定具２０と同様である。
【００２７】
また、本発明による浴槽の固定構造は、前述した各実施形態に限定するものでなく、本発明の技術的範囲内で適宜変更実施が可能である。例えば、前述した各実施形態では、受け部材２２，３２，４２をそれぞれ浴槽１３のフランジ部１３ａの下面に取り付けるようにしているが、フランジ部１３ａの下面でなく浴槽１３の側面に取り付けることもできる。このため、浴槽としてフランジ部のないものを用いることもできる。また、受け部材を浴槽と一体成形により形成することもできる。さらに、前述した各実施形態では、浴槽１３の三方の側面を壁パネル１２，１２ａ，１２ｂに沿わせているが、浴槽１３は、少なくとも１方の側面が壁パネルに沿っていればよい。ただし、変形例に係る浴槽の固定構造を用いる場合には、浴槽１３の三方の側面を壁パネル１２，１２ａ，１２ｂに沿わせる必要がある。
【図面の簡単な説明】
【００２８】
【図１】本発明の第１実施形態に係る浴槽の固定構造を備えた浴室を示した平面図である。
【図２】浴槽の正面図である。
【図３】浴槽の側面図である。
【図４】壁パネルに取り付けられた浴槽の固定構造を示した断面図である。
【図５】浴槽固定具を示しており、（ａ）は正面図、（ｂ）は側面図である。
【図６】壁パネルに浴槽固定具を取り付けた状態を示した斜視図である。
【図７】受け部材を示しており、（ａ）は平面図、（ｂ）は正面図、（ｃ）は側面図、（ｄ）は底面図、（ｅ）は裏面図である。
【図８】図７（ｂ）の８−８断面図である。
【図９】浴槽固定具に受け部材を係合させる状態を示した斜視図である。
【図１０】浴槽固定具に受け部材を係合させた状態を示しており、（ａ）は正面図、（ｂ）は側面図、（ｃ）は底面図、（ｄ）は裏面図である。
【図１１】図１０（ａ）の１１−１１断面図である。
【図１２】本発明の第２実施形態に係る浴槽の固定構造が備える受け部材の正面図である。
【符号の説明】
【００２９】
１０…浴室、１２，１２ａ，１２ｂ…壁パネル、１３…浴槽、２０…浴槽の固定構造、２１…浴槽固定具、２１ａ…固定部、２１ｂ…支持部、２１ｃ…抜け防止部、２２…受け部材、２４ａ…係合凹部。
【図１】
2008259671.tif 000003
【図２】
2008259671.tif 000004
【図３】
2008259671.tif 000005
【図４】
2008259671.tif 000006
【図５】
2008259671.tif 000007
【図６】
2008259671.tif 000008
【図７】
2008259671.tif 000009
【図８】
2008259671.tif 000010
【図９】
2008259671.tif 000011
【図１０】
2008259671.tif 000012
【図１１】
2008259671.tif 000013
【図１２】
2008259671.tif 000014